(57)【要約】【課題】  病室の床頭台等において便利に使用される物品取り付け具を提供する。【解決手段】  面状形態で、その表面に複数の各種物品の取り付け部が設けられ、その裏面を被取り付け面への取り付け面として垂直配置され、取り付け部はタオルかけ部５、ティッシュケースの装着部７、ペットボール立て部９、携帯電話機の係止部１１とされる。【選択図】図５
0003208739.tif 000002
【実用新案登録請求の範囲】
【請求項１】
面状形態で、その表面に複数の各種物品の取り付け部が設けられ、その裏面を被取り付け面への取り付け面として垂直配置されることを特徴とする物品取り付け具。
【請求項２】
前記取り付け部が、タオルかけ部及び又はティッシュケースの装着部及び又はペットボール立て部及び又は携帯電話機の係止部である請求項１記載の物品取り付け具。
【請求項３】
前記取り付け部が非使用時において前記表面からの突出寸法を１ｃｍ以下として納められることを特徴とする請求項２記載の物品取り付け具。
【請求項４】
床頭台に取り付け使用される請求項１、２または３記載の物品取り付け具。
【考案の詳細な説明】
【技術分野】
【０００１】  この考案は、病院の床頭台等に取り付け使用される物品取り付け具に関する。
【背景技術】
【０００２】  病室でベッドの枕元に配置される床頭台の側板にはタオルかけ棒が取り付けられ、床頭台の上面はティッシュケース、ペットボトル、携帯電話機、薬袋等の各種物品の載置面とされている。したがって、床頭台の上面は常に煩雑な状態となり、物品が紛失し、落下して損傷したり紛失したりすることがある。また、ベッドから床頭台上の物品が取りにくいという問題があった。
【考案の概念】
【考案が解決しようとする課題】
【０００３】  この考案は上記の事情に鑑みて行ったもので、病室の床頭台等において便利に使用される物品取り付け具を提供することを目的とする。
【課題を解決するための手段】
【０００４】  この考案では、面状形態で、その表面に複数の各種物品の取り付け部が設けられ、その裏面を被取り付け面への取り付け面として垂直配置されることを特徴とする物品取り付け具を提供する。
【０００５】  上記構成の物品取り付け具はその表面に各種の物品が取り付けられ、垂直配置されていることで、ベッド等から各種物品が取りやすく便利に使用できる。物品取り付け具は面状形態でその裏面が被取り付け部に取り付けられることで、被取り付け面から突出することなくコンパクトに配置される。
【０００６】    取り付け部は、タオルかけ部、ティッシュケースの装着部、ペットボール立て部、携帯電話機の係止部と適宜の形態とされ、それらすべてを備える構成とされることで病室や寝室において便利に使用される。
【０００７】  取り付け部が非使用時において表面からの突出寸法を１ｃｍ以下として納められることで取り付け部があまり突出せず、取扱いが容易になるとともにシートで包む等の簡易な包装により搬送ができる。突出寸法が大きいと取扱いに手間がかかり、搬送時等に何かが衝突した場合に損傷が発生するのでクッション材等を十分に取り付ける必要があり、その作業に手間がかかり、コストが高くなる問題があった。
【０００８】  物品取り付け具は床頭台に取り付け使用されることで便利に用いられる。
【考案の効果】
【０００９】  この考案の物品取り付け具を床頭台等に取り付けて使用することで、物品が取りやすいとともに物品が整理されて収納されて、各種物品の使用が容易に行われるようになる。
【図面の簡単な説明】
【００１０】
【図１】  この考案の物品取り付け具の実施例の前面斜視図
【図２】  この考案の物品取り付け具の実施例の異なる状態の前面斜視図
【図３】  この考案の物品取り付け具の実施例の分解状態の前面斜視図
【図４】  この考案の物品取り付け具の実施例の分解状態の背面斜視図
【図５】  この考案の物品取り付け具の実施例の使用状態の前面斜視図
【考案を実施するための形態】
【００１１】  図１この考案の物品取り付け具の実施例の前面斜視図、図２は同異なる状態の前面斜視図、図３は同分解状態の前面斜視図、図４は同分解状態の背面斜視図である。
【００１２】  物品取り付け具１は面状形態で、長方形のプラスチックプレートよりなる台板２の表面の一方側の下部にタオルかけ部５が設けられるとともにその上部にティッシュケースの取り付け部７が設けられ、他方側の下部にペットボトル立て部９が設けられるとともにその上部に携帯電話機の係止部１１が設けられ、台板２の裏面を床頭台等への取り付け面としている。
【００１３】  タオルかけ部５は係止金属棒６が取り付けられて構成され、係止金属棒６の両端の係止部１２のそれぞれが台板２に軸支ピン１０により回動可能に軸支されることで起倒可能に設けられ、倒時には台板２の凹所１３内に納められ、起時には前方に突出してタオル等がかけられるようになっている。係止金属棒６は倒時には凹所１３上部の内面に弾力的に接触することで仮固定され、凹所１３の湾曲広がり部１７において指が掛けられることで起立される。
【００１４】  ティッシュケースの取り付け部７は長方形の凹面部８の上縁部と下縁部との相対する位置に複数の食い込み部１４が設けられて構成されている。ティッシュケースはその背面が開放端１９から凹面部８に沿うように差し入れられ、食い込み部１４がティッシュケース上下面の後縁に食い込むことで取り付けられる。
【００１５】  ペットボトル立て部９は上下に配置される方形環状の金属棒よりなる押さえ具１５と載置具１６とよりなる。押さえ具１５と載置具１６とのそれぞれは、その後部の中央位置が金属製の連結板１７の上端、下端に回動可能に連結され、その連結板１７の上下の回動連結部２１のそれぞれが台板２の下凹部２４面から突出する軸受部２５のそれぞれに回転可能に支持されて取り付けられている。押さえ具１５と載置具１６とは倒時においてはその側部３３、３４のそれぞれが嵌合溝３６、３７内に納まる。押さえ具１５と載置具１６とは側部３３、３４のそれぞれが嵌合溝３６、３７内に納まることで倒時における前方への突出寸法が小さくされ、押さえ具１５の前側部は倒時において下記係止部４０の係止棒４１のそれぞれの上に重なり状態に位置する。これにより１４ｍｍ厚の台板２面上における押さえ具１５と載置具１６との台板２表面からの突出寸法が９ｍｍとされる。
【００１６】  ３０は連結板１７を固定する固定プレートであり、ネジ３２のそれぞれにより台板２とともに連結板１７をこの物品取り付け具１が取り付けられる床頭台の側板面等に固定する。３１は固定プレート３０のカバープレートで、上下部が弾力的に係止されて固定プレート３０に取り外し可能に装着される。連結板１７に一体の押さえ具１５と載置具１６とは、固定プレート３０により台板２を介して床頭台の側板面等に直接固定されることで強固に取り付けられ、これにより重量のあるペットボトルを安定支持する。物品取り付け具１の搬送に際しては、固定プレート３０とカバープレート３１とは、連結板１７で連結された押さえ具１５と載置具１６とともに一体とされ、テープ等で台板２の下凹部２４に貼り付けられた状態とされる。
【００１７】  携帯電話機の係止部１１は一対の金属製の係止棒４０により構成される。係止棒４０のそれぞれはその基部４２が台板２に形成される取り付け孔４１のそれぞれに差し入れられ、その端面に設けられたネジ穴に台板２の裏面側からネジ４３のそれぞれが螺着されることで台板２に固定される。係止棒４０はその前面が台板２の表面から６ｍｍ突出して位置する。
【００１８】  物品取り付け具１は、図１に示すように、非使用時にはタオルかけ棒５、押さえ具１５、載置具１６がともに倒され、その状態においてはタオルかけ棒５は台板２表面から突出せず、押さえ具１５、載置具１６、係止棒４０は突出するがその突出寸法は小さく、したがって物品取り付け具１は取扱いが容易になるとともにシート等で包む等の簡易な包装により搬送できる。
【００１９】  ４５のそれぞれは固定ネジであり、３本の固定ネジ４５と上記４本のネジ３２のそれぞれによって物品取り付け具１は床頭台の側板面等に固定されて用いられる。
【００２０】  図５は物品取り付け具１が床頭台２００の側面に取り付け使用される状態を示し、タオルかけ部５には起状態とされた係止金属棒６にタオル１００が掛けられ、ティッシュケースの取り付け部７にはティッシュケース１０１が装着され、ペットボトル立て部９には起状態された載置具１６上にペットボトル１０３が起状態された押さえ具１５で押さえられる状態で立てられ、携帯電話機の係止部１１には起状態された係止棒４０に係止されて携帯電話機１０４が係止されている。
【符号の説明】
【００２１】１    物品取り付け具
２    台板
５    タオルかけ部
７    ティッシュケースの取り付け部
９    ペットボトル立て部
１１    携帯電話機の係止部
【図１】
0003208739.tif 000003
【図２】
0003208739.tif 000004
【図３】
0003208739.tif 000005
【図４】
0003208739.tif 000006
【図５】
0003208739.tif 000007